(57)【要約】【課題】受信して蓄積した画像データに対して行われた開封などのユーザ操作に関する操作情報を、確認することが可能な画像受信装置を提供する。【解決手段】画像受信装置（デジタル複合機１で例示）は、受信した画像データを蓄積する画像蓄積部と、画像蓄積部に蓄積された蓄積画像データを項目とするリスト情報を、表示部に表示させるリスト表示制御部と、表示部に表示されたリスト情報の項目に対応する蓄積画像データについて、プレビュー表示操作を含むユーザ操作を受け付けるための操作部と、プレビュー表示操作に応答して、画像蓄積部に蓄積された画像データである蓄積画像データを表示部にプレビュー表示させるプレビュー表示制御部とを備える。リスト表示制御部は、リスト情報を表示させる際に、蓄積画像データに対して操作部で以前になされたユーザ操作に関する操作情報を、蓄積画像データに対応する項目に関連付けて表示させる。【選択図】図２
2010041684.tif 000002
【特許請求の範囲】
【請求項１】
表示部と、受信した画像データを蓄積する画像蓄積部と、該画像蓄積部に蓄積された前記蓄積画像データを項目とするリスト情報を、前記表示部に表示させるリスト表示制御部と、前記表示部に表示された前記リスト情報の項目に対応する前記蓄積画像データについて、プレビュー表示操作を含むユーザ操作を受け付けるための操作部と、該プレビュー表示操作に応答して、前記画像蓄積部に蓄積された画像データである蓄積画像データを前記表示部にプレビュー表示させるプレビュー表示制御部とを備えた画像受信装置であって、該リスト表示制御部は、前記リスト情報を表示させる際に、前記蓄積画像データに対して前記操作部で以前になされたユーザ操作に関する操作情報を、前記蓄積画像データに対応する項目に関連付けて表示させることを特徴とする画像受信装置。
【請求項２】
前記蓄積画像データを印刷する印刷部を備え、前記操作情報は、前記蓄積画像データに対して前記操作部で以前になされた印刷操作の情報を含むことを特徴とする請求項１に記載の画像受信装置。
【請求項３】
前記操作情報は、前記蓄積画像データに対して前記操作部で以前になされた削除操作の情報を含み、当該画像受信装置は、前記削除操作によっては対象となる前記蓄積画像データの削除だけを実行し、前記リスト情報から前記蓄積画像データに対応する項目の削除は実行しないことを特徴とする請求項１又は２に記載の画像受信装置。
【請求項４】
前記操作情報は、前記ユーザ操作がなされた時刻の情報を含むことを特徴とする請求項１〜３のいずれか１項に記載の画像受信装置。
【請求項５】
前記リスト表示制御部は、前記蓄積画像データの所定ページを縮小してサムネイル画像のデータを生成し、前記リスト情報の各項目に、各蓄積画像データに対応するサムネイル画像を合成して表示させることを特徴とする請求項１〜４のいずれか１項に記載の画像受信装置。
【請求項６】
前記蓄積画像データに対してユーザ操作を行ったユーザを特定するユーザ特定部を備え、前記リスト表示制御部は、前記操作情報として、前記蓄積画像データに対してユーザ操作を行ったとして特定されたユーザに関する情報を前記リスト情報の対応する項目に含めて表示させるか、或いは、前記リスト表示制御部は、前記リスト情報の表示時に、前記ユーザに関する情報を表示させるためのユーザ情報表示キーを、選択可能に表示させることを特徴とする請求項１〜５のいずれか１項に記載の画像受信装置。
【請求項７】
当該画像受信装置は、前記画像データをファクシミリ受信する機能及び／又は前記画像データをインターネットファクシミリ受信する機能を有することを特徴とする請求項１〜６のいずれか１項に記載の画像受信装置。
【発明の詳細な説明】
【技術分野】
【０００１】
本発明は、受信した画像データをプレビュー表示することが可能な画像受信装置に関する。
【背景技術】
【０００２】
従来から、ファクシミリ装置やインターネットファクシミリ装置、或いはそのいずれか一方又は双方を備えた複合機などの画像受信装置において、受信した画像データを表示画面で確認できるようにプレビュー表示する機能が備わっているものがある。
【０００３】
例えば、特許文献１には、送受信した一又は複数ページからなる画像データを順次画像メモリに蓄積し、送受信の相手先に関する情報及び送受信時刻を含む送受信履歴情報と対応付けて画像データを表示出力する通信装置が開示されている。この通信装置では、画像メモリに蓄積された各画像データの所定ページのみを抽出して圧縮画像データを生成し、生成した圧縮画像データと送受信履歴情報とを対応付けて記憶し、圧縮画像データを送受信履歴情報と対応付けて表示している。また、引用文献１には、生成した圧縮画像データを、送受信履歴情報から対応する項目を削除する場合に削除することも開示されている。
【特許文献１】特開２００７−５３５８３号公報
【発明の開示】
【発明が解決しようとする課題】
【０００４】
しかしながら、特許文献１に記載の技術では、受信した画像データをメモリに蓄積しておき、後から閲覧する場合、メモリに蓄積されている画像データが既に開封された画像データであるのかが分からないため、同じ画像データを再度プレビュー表示させてしまうといった問題がある。
【０００５】
また、特許文献１に記載の技術では、受信したデータをメモリに蓄積しておき、後から閲覧する場合、受信した画像データを閲覧しようとしても、それが既に開封後に消去されていた画像データであった場合、誰によって消去がなされたのか分からないといった問題もある。
【０００６】
本発明は、上述のような実状に鑑みてなされたものであり、受信して蓄積した画像データに対して行われた開封などのユーザ操作に関する操作情報を、確認することが可能な画像受信装置を提供することを、その目的とする。
【０００７】
また、本発明は、受信して蓄積した画像データに対して行われた開封、印刷、削除などのユーザ操作に関する操作情報を、そのユーザ操作を行ったユーザに関する情報又は時刻に関する情報と共に、確認することが可能な画像受信装置を提供することを、他の目的とする。
【課題を解決するための手段】
【０００８】
上述の課題を解決するために、本発明の第１の技術手段は、表示部と、受信した画像データを蓄積する画像蓄積部と、該画像蓄積部に蓄積された前記蓄積画像データを項目とするリスト情報を、前記表示部に表示させるリスト表示制御部と、前記表示部に表示された前記リスト情報の項目に対応する前記蓄積画像データについて、プレビュー表示操作を含むユーザ操作を受け付けるための操作部と、該プレビュー表示操作に応答して、前記画像蓄積部に蓄積された画像データである蓄積画像データを前記表示部にプレビュー表示させるプレビュー表示制御部とを備えた画像受信装置であって、該リスト表示制御部は、前記リスト情報を表示させる際に、前記蓄積画像データに対して前記操作部で以前になされたユーザ操作に関する操作情報を、前記蓄積画像データに対応する項目に関連付けて表示させることを特徴としたものである。
【０００９】
第２の技術手段は、第１の技術手段において、前記蓄積画像データを印刷する印刷部を備え、前記操作情報は、前記蓄積画像データに対して前記操作部で以前になされた印刷操作の情報を含むことを特徴としたものである。
【００１０】
第３の技術手段は、第１又は第２の技術手段において、前記操作情報は、前記蓄積画像データに対して前記操作部で以前になされた削除操作の情報を含み、当該画像受信装置は、前記削除操作によっては対象となる前記蓄積画像データの削除だけを実行し、前記リスト情報から前記蓄積画像データに対応する項目の削除は実行しないことを特徴としたものである。
【００１１】
第４の技術手段は、第１〜第３のいずれかの技術手段において、前記操作情報は、前記ユーザ操作がなされた時刻の情報を含むことを特徴としたものである。
【００１２】
第５の技術手段は、第１〜第４のいずれかの技術手段において、前記リスト表示制御部は、前記蓄積画像データの所定ページを縮小してサムネイル画像のデータを生成し、前記リスト情報の各項目に、各蓄積画像データに対応するサムネイル画像を合成して表示させることを特徴としたものである。
【００１３】
第６の技術手段は、第１〜第５のいずれかの技術手段において、前記蓄積画像データに対してユーザ操作を行ったユーザを特定するユーザ特定部を備え、前記リスト表示制御部は、前記操作情報として、前記蓄積画像データに対してユーザ操作を行ったとして特定されたユーザに関する情報を、前記リスト情報の対応する項目に含めて表示させるか、或いは、前記リスト表示制御部は、前記リスト情報の表示時に、前記ユーザに関する情報を表示させるためのユーザ情報表示キーを、選択可能に表示させることを特徴としたものである。
【００１４】
第７の技術手段は、第１〜第６のいずれかの技術手段において、当該画像受信装置は、前記画像データをファクシミリ受信する機能及び／又は前記画像データをインターネットファクシミリ受信する機能を有することを特徴としたものである。
【発明の効果】
【００１５】
本発明の画像受信装置によれば、受信して蓄積した画像データに対して行われた開封などのユーザ操作に関する操作情報を、確認することが可能になる。
【００１６】
また、本発明の他の形態の画像受信装置によれば、受信して蓄積した画像データに対して行われた開封、印刷、削除などのユーザ操作に関する操作情報を、そのユーザ操作を行ったユーザに関する情報又は時刻に関する情報と共に、確認することが可能になる。
【発明を実施するための最良の形態】
【００１７】
以下、本発明を実施するための最良の形態について図面を参照して説明する。以下、本発明に係る画像受信装置をプリント機能、コピー機能、ファクシミリ送受信機能等を有するデジタル複合機に適用した形態について、その実施の形態を示す図面に基づいて具体的に説明する。
【００１８】
＜装置構成＞
図１は、本発明の一実施形態に係る画像受信装置の一例としてのデジタル複合機を用いて構築される画像処理システムの構成例を示す模式図である。図１において、１はデジタル複合機、２、３は外部コンピュータ、４はインターネットファクシミリ装置（インターネットＦＡＸ装置）、５はファクシミリ装置である。
【００１９】
デジタル複合機１は、プリント機能、コピー機能の他に、画像データをファックスで送受信する機能（ファクシミリ機能）及び／又は画像データをインターネットＦＡＸで送受信する機能（インターネットＦＡＸ機能）を有する。また、デジタル複合機１は、インターネットＦＡＸ機能に限らず、通常の電子メール受信機能を有するように構成してもよい。このデジタル複合機１には、通信網を介して各種の外部機器が接続されている。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続されている。また、公衆電話回線網ＰＮを介して外部のファクシミリ装置５が接続されている。なお、上述したように、本発明に係る画像受信装置をデジタル複合機１に適用した場合についてのみ説明するが、本発明に係る画像受信装置としては、インターネットＦＡＸ装置４やファクシミリ装置５にも適用できる。また、本発明に係る画像受信装置としては、外部コンピュータ２、３にも適用でき、その場合、印刷先はそれに接続されたデジタル複合機１やプリンタ等の画像形成装置となる。
【００２０】
以下、このデジタル複合機１の構成及び動作について説明する。図２は、図１のデジタル複合機の構成例を示す概略ブロック図で、図３は、図２のデジタル複合機におけるタッチパネル及びキー操作部の一例を示す外観図である。
【００２１】
図２で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４、及びＵＳＢ（Universal Serial Bus）インターフェース（Ｉ／Ｆ）２５を備えている。また、デジタル複合機１は、穴あけ（パンチ）やステープル処理などを行う後処理装置を備えてもよく、以下、この後処理装置を備えた形態を挙げて説明する。
【００２２】
メイン制御部１８はＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内にはメイン制御部１８から読み出し可能なように、プログラム（ファームウェア）と各種設定データとが格納されている。このうち少なくとも各種設定データは書き換え可能なメモリに格納されている。また、これらのプログラムや各種設定データは、後述する画像記憶部１５の構成例としてのハードディスクに記憶してもよい。また、制御用バッファ２２はＲＡＭ（Random Access Memory）等の揮発性メモリで構成される。
【００２３】
上述のプログラムは、本発明に係る後述のプレビュー画像やリスト情報の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として、各種設定データを適宜参照しながら実行される。
【００２４】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。画像処理の例については後述する。上述のＡＳＩＣには符号化／復号部１７等の他の部位も組み込んでよい。
【００２５】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００２６】
符号化／復号部１７は、画像データを符号化により圧縮すると共に、符号化画像データを元の画像データに復号（伸張）する。例えば、符号化／復号部１７は原稿を読み取った画像データの符号化、その符号化データの復号、外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００２７】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００２８】
記録部１２は、電子写真方式やインクジェット方式などの印刷方式を採用したプリンタ装置を備え、画像記憶部１５に記憶された画像データなどを、記録用紙に記録（つまり印刷）する。また、ＵＳＢ  Ｉ／Ｆ２５は、ＵＳＢメモリ等のＵＳＢ機器に接続するためのＩ／Ｆであり、画像記憶部１５に記憶された原稿読み取り後の画像データ等をＵＳＢ機器に出力したり、ＵＳＢ機器からファイルを読み込んだりする。
【００２９】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００３０】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００３１】
タッチパネル１０又はキー操作部２０は、原稿の読み取り処理、画像データ送信、画像データ受信、印刷等の処理の中から所望の処理を選択するための操作、その処理を開始するための操作、各処理を実行する際に必要となる設定を行うための操作（選択操作又は入力操作）などを受け付ける。この設定としては、例えば印刷時の印刷枚数の設定、穴あけ（パンチ）やステープルの設定、ファクシミリ画像や電子メールの送信時の相手先情報の設定など、様々挙げられる。
【００３２】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００３３】
タッチパネル１０の表示部には、現在の動作状態や設定情報（例えば送信先等）などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリ又は制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００３４】
タッチパネル１０上で受けたユーザ操作はパネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けてもよく、その場合、キー操作部２０のみでユーザ操作を受け付ける。
【００３５】
タッチパネル１０及びキー操作部２０は、図３で例示するような操作パネル３０として構成してもよく、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図１の構成においてタッチパネル１０及びキー操作部２０の代わりにタッチパネル３２及びキー操作部３１を当てはめて、本発明の詳細について説明する。
【００３６】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００３７】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００３８】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００３９】
読取部１３は、原稿台又は自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００４０】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。画像処理部１６は、これらの原稿判別処理及び白黒／カラー原稿判別処理の結果として、判別信号（以下、原稿判定データという）を出力する。領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００４１】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データと関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００４２】
＜印刷動作＞
上述した原稿読み取り動作により、読み取った原稿の画像データのファイリングまでは完了する。次に、読み取った原稿の画像データを印刷する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００４３】
また、デジタル複合機１は、印刷時に、スタンプ、日付（又は日時）、ページ番号などの付加情報を画像データに付加することが可能になっており、このような付加の指示があった場合にはメイン制御部１８が画像処理部１６を制御する。画像データに付加された付加情報は付加画像であると言える。付加情報は制御用メモリ１９に記憶され、必要に応じて読み出される。勿論、元々付加情報を付加画像のデータとして格納しておいてもよい。また、付加情報を複数、制御用メモリ１９に格納しておくと共に、付加設定情報を制御用メモリ１９に格納しておくとよい。この付加設定情報としては、画像データに対して付加する位置（以下、付加位置という）を示す情報を少なくとも含み、複数の付加情報が格納されている場合にはそのいずれを選ぶかの情報も含むものとする。また、後処理装置でのパンチやステープル処理を実行する指示があった場合には、メイン制御部１８はこの後処理装置も制御する。
【００４４】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００４５】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００４６】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。二色化処理としては、ＲＧＢデータから指定の二色（この場合、赤色と黒色）を表現するＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００４７】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００４８】
中間調生成処理後のＣＭＹＫデータは記録部１２に渡される。付加情報を付加する場合について説明する。付加情報についても印刷データの変倍率に応じて変倍処理を施す方法と、付加情報は印刷データの変倍率に関係なく変倍処理を施さない方法とがある。まず、付加情報も変倍処理する場合には、メイン制御部１８が付加情報及び付加位置を示す情報を読み出して、メイン制御部１８又は画像処理部１６が必要に応じて画像データに変換し、変倍処理の前にこの付加情報の画像データを画像処理部１６に渡す。なお、この変換は元々付加画像データが格納されている場合には必要ない。続いて、画像処理部１６が、付加情報の画像データを、変倍処理前の画像データである付加先の画像データに対し上記付加位置に合成すればよい。
【００４９】
付加情報を変倍処理しない場合には、メイン制御部１８が付加情報及び付加位置を示す情報を読み出して、メイン制御部１８又は画像処理部１６が必要に応じて画像データに変換する。この例では変換によりＣＭＹＫデータとなる。なお、この変換は元々付加画像データが格納されている場合には必要ない。続いて、画像処理部１６が、付加情報の画像データを、変倍処理後の画像データである付加先の画像データ（出力階調補正処理又は中間調生成処理の対象となる上述のＣＭＹＫデータ）に対し上記付加位置に合成すればよい。
【００５０】
いずれの場合にも、画像処理部１６が付加情報を付加した状態の中間調生成処理後のＣＭＹＫデータを出力することができる。なお、デジタル複合機１では、付加情報やその付加位置は、次に説明するプレビュー表示を行いながら操作パネル３０によりユーザ設定可能とする。
【００５１】
記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。そして、ここで印刷された用紙に対して、後処理装置が必要に応じてパンチやステープル処理を実行する。なお、ここで説明した印刷動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。ファクシミリ受信又はインターネットＦＡＸで受信し、画像記憶部１５に記憶された画像データの印刷動作については後述する。
【００５２】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。デジタル複合機１は、印刷対象となった画像データについてプレビュー表示（サムネイル表示）を可能にする構成を有する。このプレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。
【００５３】
メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００５４】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。プレビュー用画像処理としては、以下にその概略を説明するように、画質調整処理、二色化処理、色補正処理、空間フィルタ処理、変倍処理、及び出力階調補正処理などが挙げられる。空間フィルタ処理及び出力階調補正処理は、領域分離データが示す各種領域に応じた処理となる。
【００５５】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００５６】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、操作パネル３０でユーザ操作により設定されたプレビュー表示倍率に基づいて画像拡大処理や画像縮小処理を行う。プレビュー表示倍率とは、例えば２倍、４倍等の固定倍率であって、プレビュー表示時の画像の倍率である。勿論、プレビュー表示倍率はユーザ操作により得られた倍率に限らず、プレビュー表示倍率に対する操作がなかった場合にはデフォルト設定の倍率となる。
【００５７】
画像処理部１６に設けたプレビュー画像生成部１６ａは、主にこのようなプレビュー表示用の変倍処理によりプレビュー表示用の画像（プレビュー画像）を生成する。
【００５８】
ここで、付加情報を付加する場合のプレビュー画像について説明する。上述のように、デジタル複合機１では、出力対象の画像データに付加情報を付加して出力することが可能となっており、プレビュー表示は、パネル制御部１１が、付加情報を示す画像を表示させる制御を行うことで実行される。そのため、プレビュー画像生成部１６ａが、このような付加情報を示す画像を生成し出力対象の画像データから生成したプレビュー画像に合成することで、付加情報付きのプレビュー画像を生成する。これをパネル制御部１１がタッチパネル３２に表示させる。
【００５９】
付加情報は、印刷倍率に応じて変倍処理を行って印刷対象の画像データと共に出力することができ、また印刷倍率に応じた変倍処理を行った後の印刷対象の画像データに付加して出力することもできる。まず、付加情報も変倍処理して出力する場合には、メイン制御部１８が付加情報及びその付加位置を読み出して、変倍処理の前に画像処理部１６に渡す。続いて、プレビュー画像生成部１６ａが、この付加情報を示す画像のＲ′Ｇ′Ｂ′データを生成し、変倍処理前の画像データである付加先の画像データに対し上記付加位置に合成する。そして、付加情報の画像が付加された後のＲ′Ｇ′Ｂ′データに対し、印刷倍率に応じた画像拡大処理／画像縮小処理を施すとよい。
【００６０】
付加情報を変倍処理しない場合には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、それを印刷倍率に応じた画像拡大処理／画像縮小処理後のＲ′Ｇ′Ｂ′データに対し上記付加位置に合成し、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【００６１】
また、後処理装置においてパンチやステープル処理を施す場合には、印刷対象となる画像データ（及び付加情報を示す画像のデータ）から生成したプレビュー画像にパンチ穴やステープル等の後処理の画像データを、パンチ位置やステープル位置に合成して出力するとよい。若しくは、印刷対象となる画像データ（及び付加情報を示す画像のデータ）から生成したプレビュー画像とは別に、その近隣に、パンチ穴やステープル等の後処理の画像データを合わせて出力してもよい。後者の場合、合成処理が不要となるため、処理速度が速くなる。いずれの方法によっても、画像データのプレビュー表示時に、画像形成する用紙の仕上がり状態を表示させることができる。
【００６２】
出力階調補正処理としては、プレビュー画像のＲ′Ｇ′Ｂ′データ又はプレビュー画像及び後処理の画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【００６３】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。生成されたＣＭＹＫデータは、後段の色補正処理において、タッチパネル３２の表示特性に基づいてＲ′Ｇ′Ｂ′データに変換される。
【００６４】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。ユーザは、この付加情報を示す画像を含むプレビュー表示された画像を確認して、このまま印刷を実行するか中止するか、或いは付加情報を削除するか、付加位置の変更（又は付加情報の変更）などを実行するかなどを判断して、それに応じた操作を行うことができる。
【００６５】
ここで説明したプレビュー表示動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。ファクシミリ受信又はインターネットＦＡＸで受信し、画像記憶部１５に記憶された画像データのプレビュー表示動作については後述する。
【００６６】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理やプレビュー表示時の変倍処理を行って、ＧＵＩ画像に組み込んでタッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。
【００６７】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、後述するファクシミリ送信やインターネットＦＡＸ送信等の画像データ送信時にも適用することができる。
【００６８】
＜ファイリング動作についての補足＞
ファイリング動作は、原稿読み取り動作として説明したように、読み取った画像データを（必要に応じて符号化して）、デジタル複合機１の内部に設けられた画像記憶部１５に記憶する動作である。ファイリング時でも、記憶対象の画像データに対して付加情報を付加してから記憶（ファイリング）することができる。画像記憶部１５にファイリングする画像データのプレビュー表示動作については、基本的に印刷する画像データについて説明した通りである。
【００６９】
＜ファクシミリ受信した画像データの印刷動作＞
次に、ファクシミリ通信により受信した画像データの印刷動作について説明する。メイン制御部１８は、モデム２４でファクシミリ通信要求を検知したときに、記録部１２、画像記憶部１５、画像処理部１６、ＮＣＵ２３、及びモデム２４などに指示を行い、次に説明するような処理を実行させる。
【００７０】
まず、モデム２４及びＮＣＵ２３は、通信手続きを行いながら送信元から送信されてくる画像データ（圧縮画像データ）を順次受信し、受信した圧縮画像データの伸張を行うと共に、必要に応じて回転処理（送信方向を回転させる処理）や解像度変換処理などを実行して、画像処理部１６又は画像記憶部１５に渡す。画像処理部１６に渡す処理は、そのまま印刷を実行するような設定となっている場合に実行され、画像記憶部１５に渡して順次画像データを蓄積する処理は、ユーザにより画像データを指定して事前に確認してから（又は予め指定された処理時刻が到来してから）印刷を実行するような設定となっている場合に実行される。この場合にも画像データは印刷時には画像記憶部１５から読み出され、画像処理部１６に渡される。
【００７１】
ファクシミリ通信により受信した画像データは白黒２値であるので、画像処理部１６では、伸張等の処理を行った画像データ（Ｋデータ）に対して、特に処理を施さず、そのまま記録部１２に渡す。受信した画像データに対して付加情報を付加する設定になっている場合には、画像処理部１６がその付加情報の画像データを合成してから記録部１２に渡す。記録部１２は、この画像データを受け取り、電子写真方式やインクジェット方式などにより印刷を実行する。
【００７２】
モノクロ画像でのファクシミリ受信について説明したが、カラーのファクシミリ画像（ＲＧＢデータ）を受信した際には、画像処理部１６や記録部１２がこのＲＧＢデータに対して処理を実行するなどすればよい。
【００７３】
＜ファクシミリ受信した画像データのプレビュー表示動作＞
ファクシミリ通信により受信した画像データのプレビュー表示動作について、同画像データの印刷動作に基づき簡単に説明する。このプレビュー表示動作は、受信した画像データを事前に確認してから印刷を実行するような設定となっている場合に行われる。このプレビュー表示動作では、画像処理部１６が、モデム２４及びＮＣＵ２３から直接又は画像記憶部１５を介して取得した伸張等の処理後の画像データに対して、付加情報を付加する場合にはその付加情報の画像データを合成した後に、さらにタッチパネル３２の画素数（表示解像度）に合わせた変換処理及びプレビュー表示時の変倍処理を行う。この変倍処理後の画像データがＧＵＩ画像に組み込まれてタッチパネル３２に表示されることになる。ユーザは、このプレビュー表示された画像を確認して、印刷を実行するか破棄するかを判断して、印刷又は破棄の操作を行うことができる。
【００７４】
＜ファクシミリ送信動作＞
次に、読み取った原稿の画像データをファクシミリ送信する場合の送信動作について説明する。ファクシミリ画像データは、タッチパネル３２又はキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【００７５】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【００７６】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【００７７】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【００７８】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００７９】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【００８０】
そして、デジタル複合機１は、送信対象の画像データにも、付加情報を付加して送信することが可能となっている。この例のように画像データを外部へ送信する際には、付加情報として、スタンプ、日付（日時）、ページ番号の他に、送信元情報（発信元情報）も付加情報を付加することが可能となっている。ここで、画像データ送信時に付加する送信元情報には、送信者の名称の情報、送信元の電話番号の情報、送信元の電子メールアドレスの情報のいずれか１又は複数を含むとよい。また、付加情報としては、画像データ送信時には送信先の情報（相手先の情報）なども付加してもよい。
【００８１】
付加情報を付加してファクシミリ送信する場合には、次のような合成処理を行えばよい。メイン制御部１８が付加情報及び付加位置を示す情報を読み出して、メイン制御部１８又は画像処理部１６が画像データに変換し、画像処理部１６が、変換後の画像データ（付加情報の画像データ）を、変倍処理後の画像データである付加先の画像データに対し上記付加位置に合成すればよい。デジタル複合機１では、付加情報の画像データを付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【００８２】
＜ファクシミリ送信する画像データのプレビュー表示動作＞
デジタル複合機１は、ファクシミリ送信等で送信対象となった画像データについてプレビュー表示を可能にする構成を有する。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてはメイン制御部１８はパネル制御部１１への指示も行う。
【００８３】
このプレビュー表示動作では、画像処理部１６が、画質調整処理、及び空間フィルタ処理（及び変倍処理）まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理及びプレビュー表示時の縮小／拡大率に応じた変倍処理を行うことでプレビュー画像のデータを生成する。なお、このプレビュー表示動作では、空間フィルタ処理は実行されなくてもよく、また中間調生成処理は実行されない。
【００８４】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【００８５】
付加情報を付加して送信する場合のプレビュー画像について説明する。付加情報は、送信解像度に応じた変倍処理を行った後の画像データに付加して出力する。より具体的には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、送信解像度に応じた画像拡大処理／画像縮小処理後のＲ′Ｇ′Ｂ′データに対し上記付加位置に合成すればよい。そして、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【００８６】
このようにして付加情報の画像が合成された画像データは、上述したプレビュー表示時の出力階調補正処理（画像データを表示するための出力γ補正処理）が施された後に、パネル制御部１１によりＧＵＩ画像に組み込まれてタッチパネル３２に表示されることになる。ユーザは、この付加情報の画像を含むプレビュー表示された画像を確認して、このままファクシミリ送信を実行するか中止するか、或いは付加情報を削除するか、付加位置の変更（又は付加情報の変更）などを実行するかなどを判断して、それに応じた操作を行うことができる。
【００８７】
＜インターネット経由による画像データの送信動作＞
次に、読み取った原稿の画像データを、インターネット経由による電子メール又はインターネットＦＡＸで送信する場合の送信動作について説明する。このようなインターネット経由での送信で対象となる画像データについても、タッチパネル３２又はキー操作部３１でのユーザ操作により設定されて制御用メモリ１９に格納された送信先情報（この例では電子メールアドレス）に対して送信される。
【００８８】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【００８９】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【００９０】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００９１】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【００９２】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【００９３】
また、デジタル複合機１は、送信対象の画像データがインターネット経由で送信する画像データであっても、ファクシミリ送信画像データの場合と同様に、付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【００９４】
＜インターネット経由で送信する画像データのプレビュー表示動作＞
ファクシミリ送信時のプレビュー表示について説明したのと同様に、本発明のデジタル複合機１は、インターネット経由で送信する対象となった画像データも、タッチパネル３２でプレビュー表示可能に構成することができる。
【００９５】
このプレビュー表示動作では、ファクシミリ送信時のプレビュー表示について説明したのと同様に、画像処理部１６が、画質調整処理、及び空間フィルタ処理（及び変倍処理）まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像に組み込まれて、タッチパネル３２に表示されることになる。また、付加情報を示す画像を付加したプレビュー表示についても、ファクシミリ送信時のプレビュー表示についての説明が援用できる。
【００９６】
＜インターネット経由で受信した画像データの印刷動作＞
次に、インターネット経由で受信した画像データの印刷動作について説明する。この印刷動作は、ファクシミリ受信した画像データに対する印刷動作と基本的に同様であり、主に受信方法が異なる。メイン制御部１８は、ＬＡＮ制御部２１でＬＡＮからインターネット経由での電子メールを受信し、それがインターネットＦＡＸの電子メールであったときに、記録部１２、フォーマット変換部１４、画像記憶部１５、画像処理部１６、及び符号化／復号部１７などに指示を行い、次に説明するような処理を実行させる。
【００９７】
まず、受信された電子メールはフォーマット変換部１４に渡される。フォーマット変換部１４が、その電子メールに添付された画像データを取得し、必要に応じてファイル形式の変換を行った後、符号化／復号部１７に渡す。この電子メールは、画像記憶部１５に記憶されてからフォーマット変換部１４に渡してもよい。符号化／復号部１７は、その画像データをページ単位で復号し、画像処理部１６又は画像記憶部１５に渡す。画像処理部１６に渡す処理は、そのまま印刷を実行するような設定となっている場合に実行され、画像記憶部１５に渡して画像データを蓄積する処理は、ユーザにより画像データを指定して事前に確認してから（又は予め指定された処理時刻が到来してから）印刷を実行するような設定となっている場合に実行される。この場合にも画像データは印刷時には画像記憶部１５から読み出され、画像処理部１６に渡される。
【００９８】
受信した画像データが白黒２値の場合、画像処理部１６では、復号等の処理を行った画像データ（Ｋデータ）に対して特に処理を施さず、そのまま記録部１２に渡す。受信した画像データに対して付加情報を付加する設定になっている場合には、画像処理部１６がその付加情報の画像データを合成してから記録部１２に渡す。記録部１２は、この画像データを受け取り、電子写真方式やインクジェット方式などにより印刷を実行する。モノクロ画像での受信について説明したが、カラー画像（ＲＧＢデータ）を受信した際には、画像処理部１６や記録部１２がこのＲＧＢデータに対して処理を実行するなどすればよい。
【００９９】
＜インターネット経由で受信した画像データのプレビュー表示動作＞
ファクシミリ受信時のプレビュー表示について説明したのと同様に、本発明のデジタル複合機１は、インターネット経由で受信した画像データも、タッチパネル３２でプレビュー表示可能に構成することができる。
【０１００】
インターネットＦＡＸ通信により受信した画像データのプレビュー表示動作について、同画像データの印刷動作に基づき簡単に説明する。このプレビュー表示動作は、受信した画像データを事前に確認してから印刷を実行するような設定となっている場合に行われる。このプレビュー表示動作では、画像処理部１６が、符号化／復号部１７から直接又は画像記憶部１５を介して取得した画像データに対して、付加情報を付加する場合にはその付加情報の画像データを合成した後に、さらにタッチパネル３２の画素数（表示解像度）に合わせた変換処理及びプレビュー表示時の変倍処理を行う。この変倍処理後の画像データがＧＵＩ画像に組み込まれてタッチパネル３２に表示されることになる。ユーザは、このプレビュー表示された画像を確認して、印刷を実行するか破棄するかを判断して、印刷又は破棄の操作を行うことができる。
【０１０１】
＜本発明に係る、受信した画像データのプレビュー表示の説明＞
以上、コピー時、ファクシミリ送信時、インターネット経由の画像データ送信時における出力対象画像データのプレビュー表示動作の説明と併せて、本発明に係るファクシミリ受信時やインターネット経由の受信（インターネットＦＡＸ受信）時について印刷前のプレビュー表示動作の説明を行った。
【０１０２】
本発明において、プレビュー表示する対象の画像データは、ファクシミリ受信やインターネットＦＡＸ受信などにより外部から受信し、記憶されたものである。そのため、本発明に係るデジタル複合機１は、受信した画像データを蓄積する画像蓄積部を有する。画像記憶部１５は、この画像蓄積部の一例であり、引き続き画像記憶部１５を挙げて説明を行う。
【０１０３】
また、本発明に係るデジタル複合機１は、表示のために表示部を有し、さらにプレビュー画像生成のためにプレビュー画像生成部１６ａを有する。この表示部としては、タッチパネル３２の表示部で例示したものが適用できる。プレビュー画像生成部１６ａは、上述したように、受信した画像データについて画像記憶部１５から読み出してそのプレビュー画像を生成する。プレビュー画像生成部１６ａで生成されたプレビュー画像は、メイン制御部１８の制御によりタッチパネル３２に送られ、パネル制御部１１によりＧＵＩ画像に組み込んで表示する制御がなされ、タッチパネル３２に表示される。
【０１０４】
なお、デジタル複合機１では、上述したように出力対象の画像データに付加情報を付加して出力することを可能に構成してもよく、その場合、メイン制御部１８の制御に基づきパネル制御部１１が、付加情報の画像をタッチパネル３２に表示させる制御を行う。そのため、付加情報を付加する場合には、プレビュー画像生成部１６ａが、このような付加情報を示す画像を生成し出力対象の画像データから生成したプレビュー画像に合成することで、付加情報付きのプレビュー画像を生成する。なお、プレビュー表示において、付加情報を示す画像そのものを付加位置に合成して表示させることを前提に説明したが、付加情報の代わりに、付加情報が存在していることを示す存在画像を表示させるように構成してもよい。そして、パネル制御部１１は、生成された付加情報付きのプレビュー画像をＧＵＩ画像に組み込んで表示させる制御を、タッチパネル３２に対して行い、タッチパネル３２でこのＧＵＩ画像を表示する。
【０１０５】
このようにプレビュー画像生成部１６ａ及びパネル制御部１１は、プレビュー画像を表示させる制御やプレビュー表示時に付加情報を表示させる制御を、タッチパネル３２で例示した表示部に対して行うプレビュー表示制御部の一例であると言える。但し、本発明に係るデジタル複合機１は、プレビュー画像の表示が可能であればよく、付加情報の画像のプレビュー表示や、上述した後処理を示す画像のプレビュー表示は、必須ではない。
【０１０６】
そして、本発明に係るデジタル複合機１において、上述のようなプレビュー表示動作の対象となる画像データは、画像記憶部１５に受信後蓄積された画像データ（以下、蓄積画像データという）から選択できるようになっている。より具体的には、本発明に係るデジタル複合機１は、次の操作部及びリスト表示制御部を有する。
【０１０７】
上記リスト表示制御部は、画像記憶部１５に受信後蓄積された蓄積画像データを項目とするリスト情報を、表示部に表示する制御を行う。リスト表示制御部と表示部とで、リスト情報を表示するリスト情報表示部を構成する。ここでの表示部は、タッチパネル３２における表示部として例示したものが適用でき、引き続きタッチパネル３２で例示する。また、このリスト情報が画像処理部１６の内部又はメイン制御部１８の内部に設けた図示しないリスト情報生成部で生成されるものとして、つまり上記リスト表示制御部がリスト情報生成部を含むものとして、以下の説明を行う。リスト情報生成部で生成されたリスト情報は、メイン制御部１８の制御によりタッチパネル３２に送られ、パネル制御部１１によりＧＵＩ画像に組み込んで表示する制御がなされ、タッチパネル３２に表示される。このように、リスト情報生成部及びパネル制御部１１は、上記リスト表示制御部の一例となる。
【０１０８】
上記操作部は、タッチパネル３２等の表示部に表示されたリスト情報の項目に対応する蓄積画像データについて、ユーザ操作を受け付ける。ここで受け付ける対象となるユーザ操作には、プレビュー表示操作が少なくとも含まれる。つまり、この操作部では少なくともプレビュー表示操作が受け付け可能となっている。プレビュー表示操作とは、リスト情報の中からプレビュー表示させたい蓄積画像データに対応する項目を選択して表示させる操作を指す。この操作部はタッチパネル３２における操作部やキー操作部３１で例示したものが適用でき、以下、この操作部もタッチパネル３２又はキー操作部３１で例示する。
【０１０９】
このようにして、蓄積画像データのリスト表示を行い、ユーザが項目を選択してプレビュー表示させる操作を行うことが可能になる。プレビュー表示制御部は、そのプレビュー表示操作に応答して、そのプレビュー表示操作で選択された蓄積画像データをタッチパネル３２にプレビュー表示する制御を行う。これにより、ユーザが選択した項目に対応する蓄積画像データのプレビュー表示が可能となり、ユーザはそれを閲覧することができる。
【０１１０】
そして、本発明の主たる特徴として、リスト表示制御部は、リスト情報を表示させる際に、蓄積画像データに対してタッチパネル３２又はキー操作部３１で以前になされたユーザ操作に関する操作情報（つまり操作履歴情報）を、蓄積画像データに対応する項目に関連付けて表示させる。
【０１１１】
例えば、まずリスト情報生成部が、ユーザ操作をその対象となった蓄積画像データに関連付けて画像記憶部１５又は制御用メモリ１９に格納しておき、リスト情報の生成時にそこから各項目に対応する操作履歴情報（つまり各蓄積画像データに対応する操作履歴情報）を抽出する。この操作履歴情報は、対象となるユーザ操作がなされる度に更新されるため、変更履歴情報又は更新履歴情報とも呼べる。そして、リスト情報生成部が各項目に操作履歴情報を組み込んでリスト情報を生成し、パネル制御部１１がそのリスト情報によりリスト表示を行うか、或いはリスト情報生成部では操作履歴情報を組み込まずにパネル制御部１１がリスト情報を表示する際に操作履歴情報を併せて表示する。ここで、リスト情報生成部で生成された、操作履歴情報を含むリスト情報、又は操作履歴情報及びリスト情報は、メイン制御部１８の制御によりタッチパネル３２に送られ、パネル制御部１１によりＧＵＩ画像に組み込んで表示する制御がなされ、タッチパネル３２に表示される。
【０１１２】
このようなリスト表示により、ユーザが項目を選択する際に、ユーザ操作により処理された蓄積画像データを処理されていない蓄積画像データと区別して表示することを可能にしている。ここで、上記処理として、少なくともプレビュー表示操作に対応する処理であるプレビュー表示処理が、実行／未実行が区別可能にリスト表示されるものとする。
【０１１３】
また、上記処理としては、プレビュー表示処理の他に、印刷処理、ファイリング処理、転送処理、削除処理などが該当する。つまり、印刷処理、ファイリング処理、転送処理、及び削除処理のいずれか１又は複数についても、実行／未実行が区別可能にリスト表示されることが好ましい。プレビュー表示処理以外のこれらの処理への適用については、後述するが、印刷処理については記録部１２のような印刷部を備えることを前提とし、削除処理については、削除時にリスト表示から削除した蓄積画像データの項目を削除しないことを前提とする。
【０１１４】
本発明は、このような構成により、受信して蓄積した蓄積画像データに対して行われた開封（プレビュー表示）、印刷、ファイリング、転送、削除などのユーザ操作に関する操作履歴情報を、確認することが可能になる。なお、タッチパネル３２における操作部又はキー操作部３１では、リスト情報を表示させるためのユーザ操作も可能になっているが、このユーザ操作の情報は、リスト情報と併せて表示させる対象の操作情報に含めない。
【０１１５】
＜プレビュー表示の具体例＞
以下、図４〜図１０を参照し、蓄積画像データの項目に付加して表示する操作履歴情報について、またその操作履歴情報表示及びプレビュー表示の流れについて、その具体例を挙げながら説明する。
【０１１６】
図４は、図２及び図３のデジタル複合機において、受信ジョブをプレビュー表示して確認するに先立ち表示されるＧＵＩ画像の一例を示す図である。図４で示すＧＵＩ画像４０は、ファクシミリ等の受信ジョブをプレビュー表示する何らかの操作、又は操作履歴情報を確認する何らかの操作などを行ったとき、或いは所定のタイミングが到来したときに、タッチパネル３２に表示されるＧＵＩ画像の一例である。
【０１１７】
図４に示すＧＵＩ画像４０では、デジタル複合機１の動作モードを選択するために、コピーモード選択キー４１、イメージ送信モード選択キー４２、ドキュメントファイリングモード選択キー４３が表示されており、ＧＵＩ画像４０ではファクシミリ送信が可能なイメージ送信モードが選択されている状態を示している。さらに、ＧＵＩ画像４０では、イメージ送信モードが選択された状態において、蓄積画像データが少なくとも１つ存在する場合に表示される例を示しており、受信データである蓄積画像データの確認の是非を問うためのポップアップ画像４５が表示されている。
【０１１８】
画像確認のためのポップアップ画像４５では、いいえキー４５ａとはいキー４５ｂとが選択可能に表示されている。ここで、はいキー４５ｂを選択することによって、後述する図６のＧＵＩ画像５０又は図７のＧＵＩ画像６０へ移行し、蓄積画像データをリスト形式又はサムネイル形式で確認することが可能になっている。なお、ＧＵＩ画像４０では蓄積画像データの確認を行うか否かの確認中であるため、ステータスが「中止中」である旨の情報４４も表示されている。
【０１１９】
図５は、図２及び図３のデジタル複合機において、受信ジョブをプレビュー表示して確認するに先立ち表示されるＧＵＩ画像の他の例を示す図である。図５で示すＧＵＩ画像４６は、図４のＧＵＩ画像４０の代わりとなるＧＵＩ画像の例であり、ファクシミリ等の受信ジョブをプレビュー表示する何らかの操作、又は操作履歴情報を確認する何らかの操作などを行ったとき、或いは所定のタイミングが到来したときに、タッチパネル３２に表示される。
【０１２０】
図５に示すＧＵＩ画像４６は、ＧＵＩ画像４０と同様に、モード選択キー４１〜４３が表示されており、ファクシミリ送信やインターネットＦＡＸ送信が可能なイメージ送信モードが選択されている状態を示している。さらに、ＧＵＩ画像４６では、イメージ送信モードが選択された状態において、蓄積画像データが少なくとも１つ存在する場合に表示される例を示しており、受信データである蓄積画像データを確認するための確認キー４７が選択可能に表示されている。また、確認キー４７が反転していない状態のＧＵＩ画像４６は、ＧＵＩ画像４０において、いいえキー４５ａが選択されたときに表示されるようにしてもよい。
【０１２１】
確認キー４７を選択することによって、後述する図６のＧＵＩ画像５０又は図７のＧＵＩ画像６０へ移行し、蓄積画像データをリスト形式又はサムネイル形式で確認することが可能になっている。なお、ＧＵＩ画像４６においては、確認キー４７が選択され反転させた状態を示しており、この選択によりステータスが「中止中」である旨の情報４４も表示されている。
【０１２２】
図６は、図４又は図５のＧＵＩ画像において蓄積画像データの確認を行う操作がなされたときに表示されるリスト情報を含むＧＵＩ画像の一例を示す図である。図６で示すＧＵＩ画像５０は、図４のはいキー４５ｂ又は図５の確認キー４７の選択により、タッチパネル３２に表示される。なお、ＧＵＩ画像５０は、図示しない他のＧＵＩ画像において、蓄積画像データの操作履歴をリスト形式で表示させるためのキーを選択可能に表示しておき、それが選択されたときに表示するようにしてもよい。
【０１２３】
ＧＵＩ画像５０では、受信し蓄積した蓄積画像データのリスト情報５４が表示されている。このリスト情報５４としては、蓄積画像データのそれぞれに対応する項目がリスト表示されている。そして、各項目には、受信方式（ＦＡＸ受信／インターネットＦＡＸ受信）を示すマーク、送信元のＦＡＸ番号又は電子メールアドレス、及び受信日時が表示されると共に、操作履歴情報が関連付けられて表示されている。操作履歴情報としては、プレビュー表示（後述の図９参照）により、その項目に対応する蓄積画像データの画像をユーザが確認済みであるか否か（つまりプレビュー表示処理が実行済みか未実行か）を示す情報が含まれ、図６では「確認済み」か「未」確認かを表示した例を示している。操作履歴情報を含むリスト情報５４の表示方法については、リスト表示制御部（主に、リスト情報生成部及びパネル制御部１１で例示）について説明した通りである。
【０１２４】
そして、ＧＵＩ画像５０では、リスト情報５４として表示した各項目は、ユーザ選択可能に表示されており、図６のように、項目が表示しきれない場合には次の項目群の表示を行うためのキーも選択可能に表示すればよい。なお、図６では５つの項目群中の１つが表示されている例を示しており、そのため「１／５」との表記も含まれる。また、ユーザがある項目の表示領域を選択する度に、その項目の「選択」／「非選択」を切り替えることが可能になっている。表示中の各項目（又は表示しきれていない項目も含めた各項目）の全てを一度に選択可能にするための全選択キー５３も、選択可能に表示されている。
【０１２５】
さらに、ＧＵＩ画像５０では、蓄積画像データをプレビュー表示により確認するための画像確認キー５５と、蓄積画像データを消去するための削除キー５６と、蓄積画像データを印刷するための印刷キー５７とが、選択可能に表示されている。これらのキー５５〜５７が選択されたときには、対応する処理が実行されると共に、その選択操作の情報（操作履歴情報）が対象となる蓄積画像データ（又はそのデータを示す項目情報）に関連付けられて制御用メモリ１９又は画像記憶部１５に格納される。ここで、好ましくは後述するように特定したユーザを示す情報も関連付けられ格納される。また、ＧＵＩ画像５０では、各受信ジョブ（各蓄積画像データ）に対する詳細な情報を表示するための詳細表示キー５２が、選択可能に表示されている。これらのキー５２、５５〜５７による処理対象の蓄積画像データは、上述したようにリスト情報５４の各項目を１又は複数個別に選択するか、或いは全選択キー５３により全ての項目を選択するかによって決めることができる。
【０１２６】
そして、図６の画像確認キー５５の選択によりプレビュー表示（図９を参照）を行った蓄積画像データに対してのみ、図６のリスト情報５４に含まれる操作履歴情報が、「未」確認の状態から「確認済み」の状態へと変更されて表示される。表示時に、蓄積画像データに関連付けられた選択操作の情報を読み出すことで、このような変更後の状態が表示できる。
【０１２７】
また、ＧＵＩ画像５０には、操作履歴情報を含むリスト情報５４の表示形態を、リスト形式から後述する図７のようなサムネイル形式に切り替えるためのサムネイル表示キー５１も、選択可能に表示されている。
【０１２８】
図７は、図６のＧＵＩ画像においてサムネイル表示キーを選択したときに表示されるＧＵＩ画像の一例を示す図で、図４又は図５のＧＵＩ画像において蓄積画像データの確認を行う操作がなされたときに表示されるサムネイル情報を含むＧＵＩ画像の一例を示す図でもある。図７で示すＧＵＩ画像６０は、図６のサムネイル表示キー５１の選択によるリスト表示からサムネイル表示への切り替え操作により、タッチパネル３２に表示される。また、ＧＵＩ画像６０は、図４のはいキー４５ｂ又は図６の確認キー４７の選択により図６のＧＵＩ画像５０の代わりに表示されるようにしてもよい。なお、ＧＵＩ画像６０は、図示しない他のＧＵＩ画像において、蓄積画像データをサムネイル形式で表示させるためのキーを選択可能に表示しておき、それが選択されたときに表示するようにしてもよい。
【０１２９】
ＧＵＩ画像６０では、受信し蓄積した蓄積画像データのサムネイル情報６２が表示されている。このサムネイル情報６２としては、蓄積画像データのそれぞれに対応する項目が配列されて表示されている。そして、各項目には、受信方式（ＦＡＸ受信／インターネットＦＡＸ受信）を示すマーク、送信元のＦＡＸ番号又は電子メールアドレスも表示されている。図示していないが、サムネイル情報６２の各項目においても、受信日時を表示してもよい。
【０１３０】
サムネイル情報６２の表示制御例について説明する。プレビュー画像生成部１６ａが、蓄積画像データの所定ページ（例えば最初のページ）を縮小してサムネイル画像のデータ（サムネイル形式の画像データ）を生成し、リスト情報生成部が、リスト情報の各項目に、各蓄積画像データに対応するサムネイル画像を合成（各項目の枠に挿入するように合成）してサムネイル情報６２とする。そして、パネル制御部１１が、そのサムネイル情報６２を示す画像を、ＧＵＩ画像に組み込んでタッチパネル３２に表示させるとよい。
【０１３１】
さらに、図示していないが、サムネイル情報６２の各項目に対しても、操作履歴情報を関連付けて表示しておいてもよい。図６で説明した通り、プレビュー表示（後述の図９参照）により、その項目に対応する蓄積画像データの画像をユーザが確認済みであるか否かを示す情報が、操作履歴情報に含まれる。特に、図６のＧＵＩ画像５０においてサムネイル表示キー５１の選択により図７のＧＵＩ画像６０へ遷移する場合には、このような操作履歴情報の関連付け表示を行うことが好ましい。このように、サムネイル情報６２は、図５のリスト情報５４と同様に、広義のリスト情報として取り扱うことができる。
【０１３２】
そして、ＧＵＩ画像６０でも、ＧＵＩ画像５０と同様に、サムネイル情報６２として表示した各項目は、ユーザ選択可能に表示されており、項目が表示しきれない場合には次の項目群の表示を行うためのキーも選択可能に表示されている。なお、図７では５つの項目群中の１つが表示されている例を示している。また、ユーザがある項目の表示領域を選択する度に、その項目の「選択」／「非選択」を切り替えることが可能になっている。表示中の各項目（又は表示しきれていない項目も含めた各項目）の全てを一度に選択可能にするための全選択キー５３も、選択可能に表示されている。
【０１３３】
さらに、ＧＵＩ画像６０には、ＧＵＩ画像５０と同様に、画像確認キー５５、削除キー５６、印刷キー５７、及び詳細表示キー５２が選択可能に表示されている。表示形態をサムネイル形式とすることで、ユーザは、リスト形式に比べて確認すべき画像の選択をより容易に行うことができる。また、ＧＵＩ画像６０には、サムネイル情報６２の表示形態をサムネイル形式から、上述した図６のリスト情報５４のような狭義のリスト形式に切り替えるためのリスト表示キー６１も、選択可能に表示されている。つまり、リスト表示キー６１がユーザ選択されることで、図６のＧＵＩ画像５０に戻ることができる。
【０１３４】
また、図６及び図７の例では、ファクシミリ受信された蓄積画像データ及びインターネットＦＡＸ受信された蓄積画像データの双方のデータについて、同時にその操作履歴情報が閲覧できるような例を挙げて説明している。しかし、いずれか一方の操作履歴情報のみを選択して表示できるようにすることも可能である。図４のＧＵＩ画像４０や図５のＧＵＩ画像４６においては、スキャナ、インターネットＦＡＸ、ファックス、及びデータ入力の中から、タブにより所望の入力先又は出力先がタブにより選択可能に表示されている。そして、これらのＧＵＩ画像４０、４６においては、これらの選択可能な入力先や出力先で特定されるイメージ送信のうち「ファックス」が選択されている状態であるため、このような場合にはファクシミリ受信した蓄積画像データに限ってリスト表示又はサムネイル表示を行うなどすればよい。
【０１３５】
図８は、図６又は図７のＧＵＩ画像において詳細表示キーが選択されたときに表示されるＧＵＩ画像の一例を示す図である。図８で示すＧＵＩ画像６３は、図６のＧＵＩ画像５０又は図７のＧＵＩ画像６０において詳細表示キー５２が選択されたときに、タッチパネル３２に表示される。なお、ＧＵＩ画像６３は、図示しない他のＧＵＩ画像において、蓄積画像データの操作履歴の詳細情報を表示させるためのキーを選択可能に表示しておき、それが選択されたときに表示するようにしてもよい。
【０１３６】
ＧＵＩ画像６３では、受信ジョブの確認状況（処理状況）を示す詳細情報６４が表示されている。詳細情報６４には、受信方式（ＦＡＸ受信／インターネットＦＡＸ受信）を示すジョブの種類、送信元のＦＡＸ番号又は電子メールアドレス、及び送信者の名称（受信データのヘッダ部分などから取得可能）が含まれると共に、後述する確認状況及び開封者も含まれている。また、詳細情報６４には、受信日時も表示するようにしてもよい。また、ＧＵＩ画像６３には、ユーザが詳細情報６４を閲覧後に元の画面（図６又は図７）に戻るためのＯＫキー６５も選択可能に表示されている。
【０１３７】
図８では、詳細情報６４に含まれる確認状況として、図６又は図７の印刷キー５７又は後述の図９の印刷キー７８の選択による印刷が済みであること、つまり受信データが印字済みであることが表示された例を示している。
【０１３８】
詳細情報６４に含まれる確認状況としては、操作履歴情報として、制御用メモリ１９又は画像記憶部１５にその蓄積画像データ（又はそのデータを示す項目情報）に関連付けて格納された情報が表示される。例えば、図６又は図７の画像確認キー５５の選択によるプレビュー表示（図９を参照）が済みであるか否か、上述のように印刷が済みであるか否か、図示しないファイリング実行キーの選択による画像記憶部１５への正式なファイリングが済みであるか否か、図示しない転送実行キーの選択による外部への転送が済みであるか否か、図６又は図７の削除キー５６の選択による削除が済みであるか否か、或いは、それらの組み合わせなどが挙げられる。また、プレビュー、印刷等の処理がなされたときだけその処理が済みであることを示してもよい。なお、ファイリング実行キーや転送実行キーは、図６、図７、図９のＧＵＩ画像に選択可能に表示させればよい。また、図９では図示しないが、図６又は図７の削除キー５６と同様の削除キーを図９のＧＵＩ画像７０にも含めてもよい。
【０１３９】
詳細情報６４の表示制御は、画像処理部１６の内部又はメイン制御部１８の内部に設けた図示しない詳細情報生成部と、パネル制御部１１とによって主になされる。例えば、まず詳細情報生成部が、ユーザ操作をその対象となった蓄積画像データ（又はそのデータを示す項目情報）に関連付けて画像記憶部１５又は制御用メモリ１９に格納しておく。そして、詳細情報生成部が、詳細表示キー５２の選択操作に応答して、画像記憶部１５又は制御用メモリ１９から詳細表示キー５２の選択時に選択されている項目に対応する操作履歴情報を抽出する。そして、詳細情報生成部が、抽出した操作履歴情報を集約するなどして詳細情報６４を生成し、パネル制御部１１がその詳細情報６４をＧＵＩ画像に組み込んでタッチパネル３２に表示する制御を行う。
【０１４０】
上述したように、詳細情報６４は、蓄積画像データに対してタッチパネル３２又はキー操作部３１で以前になされた印刷操作の情報を含むことが好ましい。なお、印刷操作の情報を含める場合には、デジタル複合機１が、記録部１２で例示したように蓄積画像データを印刷する印刷部を備えることを前提とする。
【０１４１】
同様に、詳細情報６４には、ファイリング操作の情報や転送操作の情報を含めることもできる。ファイリング操作の情報を含める場合には、デジタル複合機１が、画像記憶部１５で例示したように蓄積画像データをファイリング処理するファイリング部を備えることを前提とする。転送操作の情報を含める場合には、デジタル複合機１が、ＵＳＢ  Ｉ／Ｆ２５やＬＡＮ制御部２１で例示したように、蓄積画像データをＵＳＢメモリ等の外部記録媒体や外部ＰＣ等の外部機器に転送する転送部を備えることを前提とする。
【０１４２】
また、上述したように詳細情報６４は、蓄積画像データに対してタッチパネル３２又はキー操作部３１で以前になされた削除操作の情報、つまり削除が済みであるか否かの情報を含むことが好ましい。画像記憶部１５に記憶された蓄積画像データは、基本的にこの削除操作があるまで蓄積される。但し、デジタル複合機１は、削除操作によっては対象となる蓄積画像データの削除だけを実行し、リスト情報からその蓄積画像データに対応する項目の削除は実行しないか、或いはそのような設定が可能に構成されているものとする。このように、詳細情報６４は、蓄積画像データが削除されていることを含めて表示することができるため、例えばプレビュー表示が未実行であればそのことも併せて、詳細情報６４として表示させることで、ユーザは蓄積画像データが未確認（未開封）の状態で削除されたことも確認することができる。
【０１４３】
また、画像記憶部１５に記憶された蓄積画像データのうち、印刷操作により印刷対象となった蓄積画像データ、或いはファイリング操作や転送操作によりファイリングや転送の対象となった蓄積画像データは、印刷又は転送が終了した時点で、自動的に削除してもよい。デジタル複合機１が、印刷実行時やファイリング実行時や転送実行時にその対象となった蓄積画像データについて自動的に削除処理も実行する場合には、上述の削除操作には、印刷操作やファイリング操作や転送操作も該当することになる。
【０１４４】
また、詳細情報６４としては、プレビュー表示、印刷、ファイリング、転送、削除などの処理が何時実行されたかを示す時刻（及び日付）を含めて表示することが好ましい。時刻や日付の情報も操作履歴情報として制御用メモリ１９又は画像記憶部１５に格納しておき、表示時に読み出せばよい。このような実行時刻（及び日付）の表示により、何時、これらの処理が実行されたかを、現在のユーザが確認し正確に知ることができる。
【０１４５】
また、図８において、詳細情報６４に含まれる開封者とは、プレビュー表示によるものであればプレビュー表示の操作を行ったユーザ名を指し、印刷実行によるものであれば印刷操作を実行したユーザ名を指し、正式なファイリングの実行によるものであればファイリング操作を実行したユーザ名を指し、転送実行によるものであれば転送操作を実行したユーザ名を指す。プレビュー表示、印刷、ファイリング、転送などの実行者が異なる場合には特に個々の実行者を詳細情報６４に含ませるとよい。また、ファイリング時や転送時には、詳細情報６４に格納先（つまり格納したフォルダ名やファイル名、必要に応じて格納した機器名など）も含ませることが好ましい。このようなユーザ名の表示により、誰によってプレビュー表示、印刷、ファイリング、転送、削除などが実行されたかを、現在のユーザが確認し正確に知ることができる。
【０１４６】
ユーザ名を表示させるためには、まず、図８では詳細表示キー５２で例示しているように、リスト情報（リスト情報５４やサムネイル情報６２）の表示時に、ユーザに関する情報を表示させるためのユーザ情報表示キーを選択可能に表示させる。そして、このようなユーザ情報の表示も行う場合には、デジタル複合機１は、蓄積画像データに対してユーザ操作を行ったユーザを特定するユーザ特定部を備えておく必要がある。ユーザ特定部としては、例えばキー操作部３１のテンキー３１ａにより入力されたユーザＩＤ（ユーザ識別情報）で、その後になされるユーザ操作のユーザを特定すればよい。このようなユーザ情報も、操作履歴情報として制御用メモリ１９又は画像記憶部１５に格納しておき、表示時に読み出せばよい。
【０１４７】
また、ユーザ特定部は、ユーザを認証するユーザ認証部であることが管理上好ましい。ユーザ認証部は、ユーザＩＤ及びパスワードを予め制御用メモリ１９に登録しておき、キー操作部３１のテンキー３１ａ又はタッチパネル３２により入力されたユーザＩＤ及びパスワードや、図示しないＩＣカードに記録されたユーザＩＤ及びパスワードと比較し、一致した場合にユーザ認証が成功であるとみなせばよい。また、上記比較により一致した場合にのみ、デジタル複合機１へのログインを許可するようにしてもよい。そして、ユーザ認証部は、認証が成功したユーザを、その後になされるユーザ操作を行ったユーザ（ログインユーザ）として特定すればよい。
【０１４８】
以上、図８を参照して、タッチパネル３２又はキー操作部３１で以前になされた印刷操作、ファイリング操作、転送操作、削除操作について、実行／未実行を示す情報を、詳細情報６４としてＧＵＩ画像６３に表示させることを説明した。また、詳細情報６４として、操作を行ったユーザに関する情報（ユーザ情報）や操作がなされ処理が実行された時刻（及び日付）の情報を表示させることも説明した。
【０１４９】
これらの情報のいずれか１又は複数（全ての情報でもよい）は、操作履歴情報として、図６のリスト情報５４の各項目や図７のサムネイル情報６２の各項目において、併せて表示することもできる。
【０１５０】
つまり、プレビュー表示済みか否かだけではなく、印刷済みであるか否か、ファイリング済みであるか否か、転送済みであるか否か、不要データとして削除済みであるか否かなどの情報も、操作履歴情報としてリスト情報５４やサムネイル情報６２の対応する項目に含ませて表示させてもよい。このような構成により、蓄積画像データに対して行われた開封、印刷、ファイリング、転送、削除などのユーザ操作に関する操作履歴情報を、プレビュー表示操作前に確認することが可能になる。さらに、ユーザ操作がなされた時刻（及び日付）の情報や、特定されたユーザに関する情報（ユーザ情報）も、操作履歴情報としてリスト情報５４やサムネイル情報６２の対応する項目に含ませて表示させてもよい。このような構成により、蓄積画像データに対して行われた開封、印刷、ファイリング、転送、削除などのユーザ操作に関する操作履歴情報を、時刻情報（及び日付情報）やユーザ情報と共に、プレビュー表示操作前に確認することが可能になる。
【０１５１】
なお、プレビュー表示しなくても図６又は図７の詳細表示キー５２の選択により詳細情報の確認のみを行って、印刷、ファイリング、転送、削除などを実行するか否かをユーザが判断することも想定できるため、リスト情報５４やサムネイル情報６２の項目に、操作履歴情報として詳細情報６４の表示（つまり詳細情報６４のユーザによる確認）の有無も表示しておいてもよい。
【０１５２】
次に、図６のＧＵＩ画像５０又は図７のＧＵＩ画像６０において、ある項目が選択され画像確認キー５５が選択されたときのプレビュー表示例について、図９を参照して説明する。図９は、図２及び図３で説明したデジタル複合機におけるプレビュー表示画面の例を示す図であり、図６又は図７のＧＵＩ画像においてある項目が選択され画像確認キーが選択されたときのプレビュー表示画面の例を示す図である。
【０１５３】
図９で示すＧＵＩ画像７０は、画像確認キー５５の選択により、タッチパネル３２に表示される。ＧＵＩ画像７０には、プレビュー画像生成部１６ａが蓄積画像データの１つから上述のごとく生成したプレビュー画像７１が表示されている。なお、図６のＧＵＩ画像５０や図７のＧＵＩ画像６０において、ある項目を所定期間（１秒等の短期間）に２回連続して選択することで、その項目に対応するプレビュー画像７１を含むＧＵＩ画像７０を表示させてもよいし、代わりに図８のＧＵＩ画像６３を表示させてもよい。
【０１５４】
このプレビュー画像７１は縮小した蓄積画像データをページ毎に示すものである。そのため、ＧＵＩ画像７０には、プレビュー表示している蓄積画像データのページを変更するために、現ページを示す情報７３ａと共に、ページ切換キー（移動キー）７３ｂが表示されている。ページ切換キー７３ｂには、最初のページを表示するためのトップページ移動キー、現ページの前のページを表示するための前ページ移動キー、現ページの次のページを表示するための次ページ移動キー、及び最後のページを表示するためのラストページ移動キーが含まれる。プレビュー画像７１は、このようにページ毎に表示され、ユーザはページ切換キー７３ｂを適宜操作することによって、任意のページのプレビュー画像を表示させることができる。
【０１５５】
また、ＧＵＩ画像７０では、受信データ情報７２が表示されている。受信データ情報７２としては、送信元のＦＡＸ番号や電子メールアドレス、受信した日時などが含まれ、ファクシミリ受信なのかインターネットＦＡＸ受信なのかを示す情報も含んでもよい。ＧＵＩ画像７０では、ＧＵＩ画像７０を閉じて元の受信データリスト画面（図６又は図７）へ戻るための戻るキー７４が、選択可能に表示されている。また、ＧＵＩ画像７０では、プレビュー表示を行う対象の蓄積画像データを切り換えるための画像データ切換キー７５が、リストによって複数項目（複数の蓄積画像データに対応）を選択した場合にのみ選択可能に表示される。
【０１５６】
ＧＵＩ画像７０では、さらに、拡大／縮小キー７６、表示の回転キー７７などが選択可能に表示されていて、ユーザはこれらを適宜操作することによって、プレビュー画像７１を拡大／縮小或いは回転させて確認することができる。なお、蓄積画像データを縮小したものをプレビュー表示すると説明したが、勿論、この縮小は実行しなくてもよい。デジタル複合機１のタッチパネル３２のように小さな画面に表示する際には蓄積画像データそのままの大きさでは全体像が把握できないため、縮小処理、例えばページ幅に合うように縮小処理を行うことが好ましいに過ぎない。ユーザが細部を確認したい場合には拡大／縮小キー７６により拡大させて表示すればよいし、より全体像を把握したい場合には拡大／縮小キー７６により縮小させて表示すればよい。
【０１５７】
また、ＧＵＩ画像７０では印刷キー７８も選択可能に表示されており、ユーザがこの印刷キー７８を選択する操作を行うことによって、現在プレビュー表示中の蓄積画像データに対して印刷処理（画像形成処理）が実行される。印刷キー７８が選択された後は、受信データリスト画面（図６又は図７）に戻ればよい。なお、印刷キー７８によって印刷対象となる蓄積画像データは、現在プレビュー表示中のものに限らず、リストにより選択された全ての項目に対応する全ての蓄積画像データであるように制御してもよい。
【０１５８】
次に、蓄積画像データのプレビュー表示の流れについて、図１０を参照しながら説明する。図１０は、図２及び図３のデジタル複合機において、蓄積画像データを確認（操作履歴情報により確認）して印刷又は削除する処理の一例を説明するためのフロー図である。
【０１５９】
まず、メイン制御部１８は、ユーザ認証によるログインを受け付ける（ステップＳ１）。ログインは上述したように認証の成功により完了する。ステップＳ１に続き、メイン制御部１８は、パネル制御部１１を制御して、イメージ送信基本画面に遷移する（ステップＳ２）。イメージ送信基本画面としては、例えば、図４のＧＵＩ画像４０においてポップアップ画像４５を表示しない画面が挙げられる。
【０１６０】
次に、メイン制御部１８は、ＦＡＸ又はインターネットＦＡＸによる受信開始を待ち、モデム２４又はＬＡＮ制御部２１から受信指示を受けたときに、受信制御を行う（ステップＳ３）。メイン制御部１８は、この受信制御と共に、受信データが発生したことを警告するよう制御する。メイン制御部１８による警告制御は、パネル制御部１１に対して、例えば図４のポップアップ画像４５の表示を指示することで行う。これにより、タッチパネル３２には、図４のＧＵＩ画像４０が表示される。なお、イメージ送信基本画面としては、図５のＧＵＩ画像４６において確認キー４７の反転表示がなく選択可能にもなっていない画面を表示させてもよく、その場合、警告制御により確認キー４７が選択可能になった画面を表示させればよい。
【０１６１】
なお、ステップＳ２において、受信データが存在しないことを前提に説明したが、既に存在する場合には、ポップアップ画像４５を含む図４のＧＵＩ画像４０の画面、或いは図５のＧＵＩ画像４６において確認キー４７が反転表示ではなく且つ選択可能になっている画面などを表示させればよい。
【０１６２】
ステップＳ３に続いて、メイン制御部１８は、図４のポップアップ画像４５のはいキー４５ｂの押下、或いは図５の確認キー４７の押下による、確認指示があったか否かを判定する（ステップＳ４）。
【０１６３】
ステップＳ４でＮＯの場合、メイン制御部１８は、ステップＳ２へ戻るが、この場合、図５のＧＵＩ画像４６を用いたイメージ送信基本画面へと遷移するようにパネル制御部１１を制御する。最初に図４のポップアップ画像４５で、いいえキー４５ａが押下された場合であっても、図５のＧＵＩ画像４６（確認キー４７は非反転）を表示させることで、再び、受信データが発生したことを、確認キー４７のアイコンで表示することができる。
【０１６４】
一方、ステップＳ４でＹＥＳの場合には、メイン制御部１８は、パネル制御部１１に指示して、例えば図６のＧＵＩ画像５０のような受信データリスト画面に、自動的に切り替えて受信データリスト（リスト情報５４）を表示する（ステップＳ５）。リスト情報５４の各項目には、プレビュー表示等の処理がなされたか否かの操作履歴情報が表示される。
【０１６５】
ステップＳ５での受信データリスト画面において、リスト情報５４のうち少なくとも１つの項目をユーザが選択するのを待ち、選択された時点でその項目を反転させる（ステップＳ６）。
【０１６６】
ステップＳ６に続き、メイン制御部１８は、詳細表示キー５２の押下による詳細情報確認指示があったか否かを判定し（ステップＳ７）、あると判定されたときには、図８のＧＵＩ画像６３のように詳細情報６４を含む画面を表示させる（ステップＳ８）。ステップＳ８に続いて、メイン制御部１８は、ＯＫキー６５が押下を待ち（ステップＳ９）、押下があった時点で図６のＧＵＩ画像５０に戻り、受信データリストの再表示を行う（ステップＳ１０）。ステップＳ１０の後は、ステップＳ６へ戻り、他の項目の選択を待つなどすればよい。
【０１６７】
ステップＳ７でＮＯの場合には、メイン制御部１８は、画像確認キー５５の押下による画像確認指示があったか否かを判定し（ステップＳ１１）、あった場合にはその項目に対応する蓄積画像データのプレビュー表示を、図９のＧＵＩ画像７０のように行う（ステップＳ１２）。ステップＳ１２に続き、ステップＳ１０へ進み、受信データリストの再表示を行う。このとき、メイン制御部１８は、プレビュー表示した蓄積画像データに対応する操作履歴情報を、プレビュー済みであることを示すように更新し、再表示は、プレビュー表示した蓄積画像データに対応する項目にプレビュー表示済みであることを反映した状態で行う。
【０１６８】
ステップＳ１１でＮＯの場合には、メイン制御部１８は、削除キー５６の押下による削除指示があったか否かを判定し（ステップＳ１３）、あった場合にはその項目に対応する蓄積画像データを画像記憶部１５から削除する（ステップＳ１４）。ステップＳ１４に続き、ステップＳ１０へ進み、受信データリストの再表示を行う。このとき、メイン制御部１８は、削除した蓄積画像データに対応する操作履歴情報を、削除済みであることを示すように更新し、再表示は、削除した蓄積画像データに対応する項目に削除済みであることを反映した状態で行う。
【０１６９】
ステップＳ１３でＮＯの場合には、メイン制御部１８は、印刷キー５７の押下による印刷指示があったか否かを判定し（ステップＳ１５）、あった場合にはその項目に対応する蓄積画像データの印刷を記録部１２に対して指示し、記録部１２が印刷を実行する（ステップＳ１６）。ステップＳ１６に続き、ステップＳ１０へ進み、受信データリストの再表示を行う。このとき、メイン制御部１８は、印刷した蓄積画像データに対応する操作履歴情報を、印刷済みであることを示すように更新し、再表示は、印刷した蓄積画像データに対応する項目に印刷済みであることを反映した状態で行う。なお、ステップＳ１５でＮＯの場合にも、ステップＳ１０へ進み、受信データリストの再表示を行うが、この場合には表示の変更はない。
【０１７０】
このような処理を行うことで、本発明に係るデジタル複合機１は、受信して蓄積した画像データに対して行われた開封、印刷、ファイリング、転送、削除などの処理の操作履歴情報を確認することが可能になり、無駄なプレビュー表示を防止することができる。さらに、デジタル複合機１は、受信して蓄積した画像データに対して行われた処理の操作履歴情報を、そのユーザ操作を行ったユーザに関する情報又は時刻に関する情報と共に、確認することが可能なように構成することもできる。これにより、現ユーザ自身が処理したのか他人が処理したのかの区別も可能になるため、より正確に無駄なプレビュー表示を防止することができる。また、例えば蓄積画像データが既に消去されている場合でも、誰によって何時、消去されたのかを、リスト表示又は詳細情報表示を行うだけで容易に確認できるため、消去された蓄積画像データの追跡が容易にでき、この情報を元に削除したユーザを追及するといったこともできる。
【図面の簡単な説明】
【０１７１】
【図１】本発明の一実施形態に係る画像受信装置の一例としてのデジタル複合機を用いて構築される画像処理システムの構成例を示す模式図である。
【図２】図１のデジタル複合機の構成例を示す概略ブロック図である。
【図３】図２のデジタル複合機におけるタッチパネル及びキー操作部の一例を示す外観図である。
【図４】図２及び図３のデジタル複合機において、受信ジョブをプレビュー表示して確認するに先立ち表示されるＧＵＩ画像の一例を示す図である。
【図５】図２及び図３のデジタル複合機において、受信ジョブをプレビュー表示して確認するに先立ち表示されるＧＵＩ画像の他の例を示す図である。
【図６】図４又は図５のＧＵＩ画像において蓄積画像データの確認を行う操作がなされたときに表示されるリスト情報を含むＧＵＩ画像の一例を示す図である。
【図７】図６のＧＵＩ画像においてサムネイル表示キーを選択したときに表示されるＧＵＩ画像の一例を示す図である。
【図８】図６又は図７のＧＵＩ画像において詳細表示キーが選択されたときに表示されるＧＵＩ画像の一例を示す図である。
【図９】図２及び図３で説明したデジタル複合機におけるプレビュー表示画面の例を示す図であり、図６又は図７のＧＵＩ画像においてある項目が選択され画像確認キーが選択されたときのプレビュー表示画面の例を示す図である。
【図１０】図２及び図３のデジタル複合機において、蓄積画像データを確認して印刷又は削除する処理の一例を説明するためのフロー図である。
【符号の説明】
【０１７２】
１…デジタル複合機、２，３…外部コンピュータ、４…インターネットＦＡＸ装置、１０，３２…タッチパネル、１１…パネル制御部、１２…記録部、１３…読取部、１４…フォーマット変換部、１５…画像記憶部、１６ａ…プレビュー画像生成部、１７…符号化／復号部、１８…メイン制御部、１９…制御用メモリ、２０，３１…キー操作部、２１…ＬＡＮ制御部、２２…制御用バッファ、２３…ＮＣＵ、２４…モデム、２５…ＵＳＢ  Ｉ／Ｆ、３０…操作パネル。
【図１】
2010041684.tif 000003
【図２】
2010041684.tif 000004
【図３】
2010041684.tif 000005
【図４】
2010041684.tif 000006
【図５】
2010041684.tif 000007
【図６】
2010041684.tif 000008
【図７】
2010041684.tif 000009
【図８】
2010041684.tif 000010
【図９】
2010041684.tif 000011
【図１０】
2010041684.tif 000012